【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
エンジン油組成物であって、前記エンジン油組成物が、
ａ）前記エンジン油組成物の総重量を基準として、５０重量％超の潤滑粘度の基油であって、前記基油が、グループＩＩＩ基油、グループＩＶ基油、グループＶ基油、およびこれらの混合物からなる群から選択される、基油と、
ｂ）前記エンジン油組成物の総重量を基準として、０．５〜８．０重量％の分散剤粘度指数向上剤であって、前記分散剤粘度指数向上剤が、オレフィンコポリマーと、アシル化剤と、ポリアミンとの反応生成物であり、前記オレフィンコポリマーが、エチレンと、５，０００ｇ／ｍｏｌ〜１５０，０００ｇ／ｍｏｌの数平均分子量を有する１つ以上のＣ３−Ｃ２８アルファオレフィンとのコポリマーである、分散剤粘度指数向上剤と、
ｃ）１つ以上のカルシウム含有洗剤であって、前記１つ以上のカルシウム含有洗剤が、前記エンジン油組成物の総重量を基準として、約１０００ｐｐｍｗ〜約２２００ｐｐｍｗｗのカルシウムを前記エンジン油組成物に提供する、１つ以上のカルシウム含有洗剤と、
ｄ）前記エンジン油組成物に１ｐｐｍｗ〜５５０ｐｐｍｗのモリブデンを提供するのに十分な量の１つ以上のモリブデン含有化合物と、
ｅ）０．１重量％〜１０重量％の窒素含有分散剤であって、分散剤からの全窒素に対する洗剤からの全金属の比が、２．５未満である、窒素含有分散剤と、を含み、
前記エンジン油組成物が、０Ｗ−Ｘまたは５Ｗ−ＸのＳＡＥ粘度グレード（ここで、Ｘ＝１６、２０、３０、または４０である）と、両方とも前記エンジン油組成物の総重量を基準として、約５００ｐｐｍｗ〜約１０００ｐｐｍｗのリンと、ＡＳＴＭ  Ｄ８７４で測定した際に１．２重量％以下の総硫酸化灰含有量と、を有し、
前記ポリアミンが、
（ａ’）式（Ｉ）で表されるＮ−アリールフェニレンジアミン：
【化１】
2019077864.tif 000001
（式中、Ｒ１は、水素、−ＮＨ−アリール、−ＮＨ−アリールアルキル、−ＮＨ−アルキル、またはアルキル、アルケニル、アルコキシル、アラルキル、アルカリール、ヒドロキシアルキル、およびアミノアルキルから選択される４〜２４個の炭素原子を有する分岐もしくは直鎖ラジカルであり、Ｒ２は、−ＮＨ２、ＣＨ２−（ＣＨ２）ｎ−ＮＨ２、またはＣＨ２−アリール−ＮＨ２であり、ｎは、１〜１０の値を有し、Ｒ３は、水素、アルキル、アルケニル、アルコキシル、アラルキル、および４〜２４個の炭素原子を有するアルカリールから選択される）、
（ｂ’）アミノチアゾール、アミノベンゾチアゾール、アミノベンゾチアジアゾールおよびアミノアルキルチアゾールからなる群から選択されるアミノチアゾール、
（ｃ’）次式で表されるアミノカルバゾール：
【化２】
2019077864.tif 000002
（式中、Ｒ４およびＲ５は、水素または１〜１４個の炭素原子を有するアルキル、アルケニルまたはアルコキシ基を表す）、
（ｄ’）次式で表されるアミノインドール：
【化３】
2019077864.tif 000003
（式中、Ｒ６は、水素または１〜１４個の炭素原子を有するアルキル基を表す）、
（ｅ’）次式で表されるアミノピロール：
【化４】
2019077864.tif 000004
（式中、Ｒ７は、２〜６個の炭素原子を有する２価のアルキレン基であり、Ｒ８は、水素または１〜１４個の炭素原子を有するアルキル基である）、
（ｆ’）次式で表されるアミノ−インダゾリノン：
【化５】
2019077864.tif 000005
（式中、Ｒ９は、水素または１〜１４個の炭素原子を有するアルキル基を表す）、
（ｇ’）次式で表されるアミノメルカプトトリアゾール：
【化６】
2019077864.tif 000006
（式中、Ｒ１０が存在しなくてもよく、またはアルキレン、アルケニレン、アリールアルキレン、もしくはアリーレンからなる群から選択されるＣ１−Ｃ１０直鎖または分岐ヒドロカルビレンであり、Ｒ１１は、水素、またはＣ１−Ｃ１４アルキル、アルケニル、アラルキル、もしくはアリール基である）、
（ｈ’）次式で表されるアミノペリミジン：
【化７】
2019077864.tif 000007
（式中、Ｒ１２は、水素または１〜１４個の炭素原子を有するアルキルもしくはアルコキシ基を表す）、ならびに
（ｉ’）アミノアルキルイミダゾール、
からなる群から選択される１つ以上のアミンである、エンジン油組成物。
【請求項２】
分散剤からの全窒素に対する洗剤からの全金属の比が、２．０未満である、請求項１に記載のエンジン油組成物。
【請求項３】
前記基油が、グループＩＩＩ基油、グループＩＶ基油、またはこれらの混合物を含む、請求項１〜２のうちのいずれか１項に記載のエンジン油組成物。
【請求項４】
前記アシル化剤が、少なくとも１つのカルボン酸基またはカルボン酸無水物基を有するエチレン性不飽和アシル化剤である、請求項１〜３のうちのいずれか１項に記載のエンジン油組成物。
【請求項５】
前記アシル化剤が、無水マレイン酸である、請求項１〜３のうちのいずれか１項に記載のエンジン油組成物。
【請求項６】
前記ポリアミンが、式ＩのＮ−アリールフェニレンジアミンであり、
【化８】
2019077864.tif 000008
式中、Ｒ１は、水素、−ＮＨ−アリール、−ＮＨ−アリールアルキル、−ＮＨ−アルキル、またはアルキル、アルケニル、アルコキシル、アラルキル、アルカリール、ヒドロキシアルキル、およびアミノアルキルから選択される４〜２４個の炭素原子を有する分岐もしくは直鎖ラジカルであり、Ｒ２は、−ＮＨ２、ＣＨ２−（ＣＨ２）ｎ−ＮＨ２、またはＣＨ２−アリール−ＮＨ２であり、ｎは、１〜１０の値を有し、Ｒ３は、水素、アルキル、アルケニル、アルコキシル、アラルキル、および４〜２４個の炭素原子を有するアルカリールから選択される、請求項１〜５のうちのいずれか１項に記載のエンジン油組成物。
【請求項７】
前記ポリアミンが、Ｎ−フェニル−１，４−フェニレンジアミン、Ｎ−フェニル−１，３−フェニレンジアミン、およびＮ−フェニル−１，２−フェニレンジアミンからなる群から選択される、請求項１〜５のうちのいずれか１項に記載のエンジン油組成物。
【請求項８】
前記エチレンと１つ以上のＣ３−Ｃ２８アルファオレフィンとのコポリマーが、１０〜８０重量％のエチレンおよび２０〜９０重量％の前記１つ以上のＣ３−Ｃ２８アルファオレフィンを含む、請求項１に記載のエンジン油組成物。
【請求項９】
前記エチレンと１つ以上のＣ３−Ｃ２８アルファオレフィンの前記コポリマーが、ポリマー骨格の１０００数平均分子量単位当たり０．１４〜６．８６のカルボキシル基を含有する、請求項１に記載のエンジン油組成物。
【請求項１０】
摩擦調整剤、耐摩耗剤、酸化防止剤、消泡剤、プロセス油、および流動点降下剤からなる群から選択される１つ以上の成分をさらに含む、請求項１〜９のうちのいずれか１項に記載のエンジン油組成物。
【請求項１１】
前記エンジン油組成物が、請求項１に記載の前記分散剤粘度指数向上剤以外の追加の粘度指数向上剤を含有しない、請求項１〜１０のうちのいずれか１項に記載のエンジン油組成物。
【請求項１２】
前記エンジン油組成物が、摩擦調整剤を含有しない、請求項１〜１１のうちのいずれか１項に記載のエンジン油組成物。
【請求項１３】
前記カルシウム含有洗剤が、前記エンジン油組成物の総重量を基準として、１１００ｐｐｍ〜２０００ｐｐｍのカルシウムを前記エンジン油組成物に提供する、請求項１〜１２のうちのいずれか１項に記載のエンジン油組成物。
【請求項１４】
前記カルシウム含有洗剤が、前記エンジン油組成物の総重量を基準として、少なくとも３００ｐｐｍのカルシウムを前記エンジン油組成物に送達するのに十分な量のカルシウムフェネートを含む、請求項１〜１３のうちのいずれか１項に記載のエンジン油組成物。
【請求項１５】
前記カルシウム含有洗剤が、カルシウム含有洗剤の混合物を含み、前記洗剤の混合物の５０％超が、スルホン酸カルシウム洗剤である、請求項１〜１４のうちのいずれか１項に記載のエンジン油組成物。
【請求項１６】
前記エンジン油組成物の総重量を基準として、約０．１重量％〜約５重量％の前記分散剤粘度指数向上剤を含む、請求項１〜１５のうちのいずれか１項に記載のエンジン油組成物。
【請求項１７】
エンジンの摩耗保護を向上させる方法であって、請求項１〜１６のうちのいずれか１項に記載のエンジン油組成物で前記エンジンを潤滑するステップを含む、方法。
【請求項１８】
エンジンを動作させる方法であって、前記方法が、
請求項１〜１７のうちのいずれか１項に記載のエンジン油組成物で前記エンジンを潤滑するステップと、
前記エンジンを動作させるステップと、を含む、方法。